(57)【要約】【課題】引戸の閉戸時、トリガーが勢い良く押された時にトリガーの勢いを吸収すると共に、引戸が反発して時にその跳ね返り現象を合理的に構成で解決すること。【解決手段】引戸を閉める際、戸枠側のストライクに当たると錠ケースに設けたトリガーガイドに案内されされながら後退動するトリガーと、このトリガーの後退動に連動してストライクと掛合する方向へ回転するように錠ケースに軸支された鎌片とを備える引戸錠において、前記錠ケースに内装された付勢バネのバネ力によりトリガーに圧接するように、かつ、該錠ケースに案内されるように抵抗スライダーを組み込み、前記トリガーは、錠ケースに内装したトリガーバネのバネ力に抗して勢い良く押された時、該トリガーに形成した係合摺接部が、抵抗スライダーの傾斜状抵抗吸収係合面に摺接しながら後退し、かつ、引戸の反発時には前記抵抗吸収係合面に鈍角状態に続く引戸用反発防止係合面に係止されることを特徴とする引戸錠。【選択図】　図６
2004076510.tif 000002
【特許請求の範囲】
【請求項１】
引戸を閉める際、戸枠側のストライクに当たると錠ケースに設けたトリガーガイドに案内されされながら後退動するトリガーと、このトリガーの後退動に連動してストライクと掛合する方向へ回転するように錠ケースに軸支された鎌片とを備える引戸錠において、前記錠ケースに内装された付勢バネのバネ力によりトリガーに圧接するように、かつ、該錠ケースに案内されるように抵抗スライダーを組み込み、前記トリガーは、錠ケースに内装したトリガーバネのバネ力に抗して勢い良く押された時、該トリガーに形成した係合摺接部が、抵抗スライダーの傾斜状抵抗吸収係合面に摺接しながら後退し、かつ、引戸の反発時には前記抵抗吸収係合面に鈍角状態に続く引戸用反発防止係合面に係止されることを特徴とする引戸錠。
【請求項２】
請求項１に於いて、トリガー１６の係合摺接部４３は、トリガーの上面に突出形成され、その前側に抵抗スライダーの引戸用反発防止係合面と接線方向に当たる急斜面状の当り面４３ａを有していることを特徴とする引戸錠。
【請求項３】
請求項１に於いて、抵抗スライダーは、錠ケースに形成された少なくとも１つ以上の垂直案内部に案内されて上下動することを特徴とする引戸錠。
【請求項４】
請求項１に於いて、錠ケース５は合成樹脂材で形成され、そのケース身５ａの開口収納部は、少なくとも抵抗スライダー用収納部８と、この収納部と連通し、かつ、トリガーの突起状係合摺接部が往復動する規制空間１１とを有していることを特徴とする引戸錠。
【請求項５】
請求項１に於いて、錠ケースには鎌片ガイド部材３１が固定され、この鎌片ガイド部材３１は、ケース身５ａに固定される鎌片案内板３２と、この鎌片案内板３２に横方向に形成された弧状案内部３３と、前記鎌片案内板３２に突出形成された鎌片枢支軸３４とから成ることを特徴とする引戸錠。
【請求項６】
請求項５に於いて、鎌片の基部には、やや横長の遊嵌合軸孔３６が形成されていることを特徴とする引戸錠。
【発明の詳細な説明】
【０００１】
【発明の属する技術分野】
本発明は、引戸の閉戸時、トリガーに連動する鎌片を備えた引戸錠に関する。
【０００２】
【従来の技術】
錠ケースのフロントからストライクに向かって突出するトリガー（水平突出杆）と、このトリガーに連動する鎌片を備えた引戸錠は、例えば実開昭５７−１１０２６０号公報、特開平８−８６１３２号公報等に記載されている。
【０００３】
この種の引戸錠は、引戸の閉戸時、トリガーの先端面がストライクの表面に直接又は間接的に突き当たると後退し始め、例えばラック及びピニオンという動力変換機構を介して鎌片が掛合方向へと突出回転する。
【０００４】
ところで、現在、この種の引戸錠に於いては、引戸の閉戸時、トリガーが勢い良く押された時にトリガーの勢いを吸収すると共に、引戸が反発した時にその跳ね返り現象を合理的な構成で解決することが求められている。
【０００５】
【発明が解決しようとする課題】
そこで本発明は、この種の引戸錠における従来の要望に鑑み、引戸の閉戸時、トリガーが勢い良く押された時にトリガーの勢いを吸収すると共に、引戸が反発して時にその跳ね返り現象を合理的な構成で解決することを主たる目的とする。この主たる目的において、傾斜状抵抗吸収係合面及び引戸用反発防止係合面を有する抵抗スライダーを十分に機能させることができること、また該抵抗スライダーを安定的に上下動させることである。さらに、付随的に目的として、錠ケースに各部材を合理的に組み込むことができること、鎌片がタイミング良くストライクに係合すること、各部材を簡単に組み合わせることができること、安価に製作することができることである。
【０００６】
【課題を解決するための手段】
本発明の引戸錠は、引戸を閉める際、戸枠側のストライクに当たると錠ケースに設けたトリガーガイドに案内されされながら後退動するトリガーと、このトリガーの後退動に連動してストライクと掛合する方向へ回転するように錠ケースに軸支された鎌片とを備える引戸錠において、前記錠ケースに内装された付勢バネのバネ力によりトリガーに圧接するように、かつ、該錠ケースに案内されるように抵抗スライダーを組み込み、前記トリガーは、錠ケースに内装したトリガーバネのバネ力に抗して勢い良く押された時、該トリガーに形成した係合摺接部が、抵抗スライダーの傾斜状抵抗吸収係合面に摺接しながら後退し、かつ、引戸の反発時には前記抵抗吸収係合面に鈍角状態に続く引戸用反発防止係合面に係止されることを特徴とする。
【０００７】
上記構成において、トリガー１６の係合摺接部４３は、トリガーの上面に指先状に突出形成され、その前側に抵抗スライダーの引戸用反発防止係合面と接線方向に当たる急斜面状の当り面４３ａを有していることを特徴とする。
【０００８】
【発明の実施の形態】
図１乃至図７に示す一実施例を参照に本発明を説明する。
【０００９】
（１）発明の実施の環境…まず図２又は図６を参照に発明の実施の環境について説明する。Ｘは引戸１の縦框の中に収められる内装型又は引戸面に固定的に取付けられる面付け型引戸錠である。一方、Ｙは戸枠２に固定的に取付けられるストライクで、このストライクＹは、本実施例では戸枠２の前面に複数個の固着具３を介して固定された垂直取付け板と、この垂直取付け板の下端部にアングル状に連設する受座部とから成る。ストライクＹは鎌片と係合する部材であるから、実施例如何によっては、ボックス部を有するトロヨケと、トロヨケの開口に重ね合わせられたストライクＹ（受座）とから成るものでも良い。但し、このような場合には、ストライクの縦長窓寄りの適宜部位に押し込みピンを固定的に突設するのが望ましい。
【００１０】
（２）錠ケース…５は、本実施例では引戸１の縦框１ａに内装される錠ケースである。この錠ケース５は、ケース身５ａと、このケース身の開口状収納部を閉鎖するケース蓋５ｂとから成る。本実施例では、ケース身５ａ及びケース蓋５ｂは合成樹脂材で形成されている。そのためケース身５ａの開口状収納部は、普通一般のケース身５ａのような矩形状開口ではなく、やや複雑に見える外観形状を呈している。
【００１１】
そこで、主にケース身５ａを示した図３を参照にし、トリガーや鎌片用の開口も含め、開口状収納部を上方から順番に説明する。
６はケース身５ａの上方中央部に形成された縦長収納部で、この縦長収納部６には抵抗スライダーをトリガーに圧接するように押し付ける付勢バネ（例えばコイルバネ）７が組み込まれる。
【００１２】
８は縦長収納部６に交差状態に連通するようにケース身５ａの上方寄りの部位に形成された横長収納部で、この横長収納部８には、図４で示すブロック状抵抗スライダー９が組み込まれる。横長収納部８を形成する前後の対向内壁８ａ，８ａは、抵抗スライダー９を上下方向に案内するガイド部の機能を有する。
【００１３】
１０は横長収納部８を形成する幅広側壁の中央部に形成された垂直案内部（例えば垂直長孔）で、この垂直案内部１０には抵抗スライダー９の左右の側壁にそれぞれ突出形成した左右一対の係合突起の一つが係合する。したがって、垂直案内部１０も抵抗スライダー９を上下方向に案内するガイド部の機能を有する。
１１はトリガーの突起状摺接部分が往復動するための規制空間で、この規制空間１１は、ケース身５ａの中央部寄りの部位に内部方向に向かって鉤状に対設された前後の突起部分１２，１３間に設けられている。
【００１４】
しかして、前側の突起部分１２及び後側の突起部分１３は、上部側に抵抗スライダー９の後端部の前後を受け止める支持部となっており、またこれらの支持部に連設する下部側は、トリガーの突起状摺接部分を受け止めるストッパー面となっている。本実施例では前側の突起部分１２の下部側ストッパー面は傾斜状であるのに対し、後側の突起部分１３の下部側ストッパー面は垂直面となっている。これは前記突起状摺接部分の形状に対応するものである。
【００１５】
さて、規制空間１１は上方の横長収納部８と連通し、一方、下方のトリガー収納部１４と連通している。トリガー収納部１４を形成する幅広側壁の中央部には、水平案内部（例えば水平長孔）１５が形成され、この水平案内部１５にはトリガー１６の左右の側壁に突設したトリガー突起の一つが係合する。
【００１６】
トリガー収納部１４には、図４に示すトリガー１６やトリガーバネ１７が収納されるので、ケース身５ａの一部を成すフロント部１８には、トリガー用の案内開口１９が形成されている。そして、トリガー収納部１４の下方には鎌片用収納部２０が設けられている。この鎌片用収納部２０にはトリガー１６と係合するように、後述の鎌片ガイド部材３１を介して軸支された鎌片３５が組み込まれる。
【００１７】
したがって、前記フロント部１８には鎌片用の出入口２２が形成されている。本実施例では、この出入口２２にもトリガー用の案内開口１９と同様にカイド機能を持たせているので、鎌片３５の板厚に対応した幅寸法となっている。普通一般に鎌片３５は板状態なので、本実施例ではトリガー１６との組み合わせの合理性を考慮し、トリガー１６の方を鎌片３５よりも幅のある部材としている。それ故に、トリガー用案内開口１９は、図１で示すように鎌片３５の出入口２２よりも幅（引戸の厚さ方向の幅）がある。
【００１８】
最後に鎌片用収納部２０より下方には、鎌片用ロック片２５を収納するための下部空間２６が設けられている。この下部空間２６を形成する幅広側壁の中央部には、操作部材２７用の垂直案内長孔２８が形成されている。
【００１９】
なお、ケース蓋５ｂには、特に図示しないが、抵抗スライダー９の係合突起の一つが係合する垂直案内部（例えば垂直長孔）、トリガー突起用水平案内部、鎌片枢支軸用軸孔、鎌片可動軸用弧状案内部（例えば弧状案内孔）、操作部材用垂直案内長孔などが必要に応じて形成されている。またフロント部１８の上下の耳状部には、固着具用の貫通孔２９が形成されている。次に錠ケース５に組み込まれる主な部材について作用と共に説明する。
【００２０】
（３）鎌片ガイド部材…鎌片ガイド部材３１は、ケース身５ａの水平案内部１５を基準にして該ケース身５ａの幅広側壁の内壁面に固定される。図４で示すように、鎌片ガイド部材３１は、ケース身５ａに固定される矩形状の鎌片案内板３２と、この鎌片案内板３２の上部側に横方向に形成された弧状案内部３３と、この弧状案内部３３の下方中央部に突出形成された鎌片枢支軸３４とから成り、前記弧状案内部３３は、弧状の案内孔３３ａと、この案内孔の終端部に連通するやや水平状の短い逃し孔３３ｂとから成っている。
【００２１】
（４）鎌片…鎌片３５は、幅広の基部３５ａと、この基部３５ａに連設するフック部３５ｂとから成り、本実施例では、前記基部３５ａの中心部に横長状の遊嵌合軸孔３６が形成され、また、該遊嵌合軸孔３６を基準にして基部３５ａの後部上部側には、動力変換機構の一部を構成する鎌片可動軸３７，３７が左右に一対突出形成されている。
【００２２】
しかして、前記遊嵌合軸孔３６には鎌片ガイド部材３１の鎌片枢支軸３４が貫通状態に入り込み、また、前記鎌片可動軸３７の一つは鎌片ガイド部材３１の弧状案内部３３に係合すると共に、他方はケース蓋５ｂの弧状案内部に係合する。ところで、本実施例では、前記基部３５ａの中心部に横長状の遊嵌合軸孔３６が形成されているが、これはチリ調整或いはストライクＹとの係合バランスを考慮したものであるから、本発明の特定（限定）要件ではない。本発明の目的は、トリガーの衝撃力の吸収ないし引戸の反発防止である。それ故に、動力変換機構の一部を構成する鎌片可動軸３７，３７に関しても、特に図示しないが、ピニオンに設計変更することもできる。
【００２３】
なお、本実施例の鎌片３５は、トリガー１６の一側面に形成した切欠面４４に添うように組み合わせられている。
【００２４】
（５）トリガーとトリガーバネ…水平進退動部材材としてのトリガー１６は、錠ケース５内に摺動自在に装着される。図４を基準にして説明する。４１は開戸時に錠ケース５のフロント部１８から突出する杆状先端部で、この杆状先端部４１の後部には鎌片用被係合部４２が段差状に連設している。
鎌片用被係合部４２の一例としは下向きＵ字型の切欠部であるが、この鎌片用被係合部４２は、前述したように鎌片可動軸３７，３７と共に動力変換機構の一部を構成する。
【００２５】
４３は杆状先端部４１の後部の上壁に突設された係合摺接部で、この係合摺接部４３は、本実施例では人差し指状の先端部のように形成されている。したがって、前面は傾斜状の当り面４３ａと成っているのに対し、後面はトリガーバネ１７の先端部を受ける垂直状の受け面４３ｂとなっている。
【００２６】
トリガーバネ１７はケース身５ａに横方向に組み込まれ、トリガー１６が常時フロント部１８から突出するように付勢している。トリガーバネ１６は、引戸１の閉戸時に、トリガー１６の先端部４１がストライクＹに突き当たると、トリガー１６の後退にしたがって収縮し始める。一方、引戸１を開くにつれて先端部４１がストライクＹ（押し込みピンがある実施例の場合にはピン）から離れると、トリガー１６の進出にしたがって伸長する。
【００２７】
（６）抵抗スライダー…抵抗スライダー９は、トリガーと同様にブロック状に形成されている。この抵抗スライダー９は、ケース身５ａの横長収納部８に上下動自在に組み込まれると、同様にケース身５ａの縦長収納部に組み込まれた付勢バネ７のバネ力により、トリガ−１６の係合摺接部４３に常時圧接する。抵抗スライダー９は、本実施例では、ガタガタしないように、横長収納部の対向内壁８ａ，８ａ並びにその左右の側壁の係合突起４５，４５が係合する錠ケース５の垂直案内部１０に案内される。
【００２８】
ところで、抵抗スライダー９の上面は、付勢バネ７の下端部を受ける水平面となっているが、下面には、平らな係合面や山形状の係合面が形成されている。
【００２９】
すなわち、４６は抵抗スライダー９の下部先端部に形成され、ケース身５ａの前突起部分１２に支持される水平状の第１係合面、４７はこの第１係合面４６から傾斜状に形成され、かつ、トリガー１６がトリガーバネ１７のバネ力に抗して勢い良く押された時に該トリガーに押し付け抵抗を与える抵抗吸収係合面、４８はこの抵抗吸収係合面にから鈍角状態（多少アールがあっても良いの意味合い。）に傾斜し、かつ、引戸１の反発時に引戸開放防止機能を発揮する反発防止係合面、４９はこの反発防止係合面に連設するように抵抗スライダー９の下部後端部に形成され、かつ、ケース身５ａの後突起部分１３に支持される水平状の第２係合面である。
【００３０】
本実施例では、前記抵抗吸収係合面４７はトリガー１６の当り面４３ａに向かったややゆるやかな傾斜面であるのに対し、反発防止係合面４８は、抵抗吸収係合面４７よりも急な傾斜面である。
したがって、トリガー１６の係合摺接部４３は、トリガーの上面に指先状に突出形成され、少なくとも前側に抵抗スライダーの引戸用反発防止係合面４８と接線方向に当たる急斜面状の当り面４３ａを有している。
【００３１】
（７）作用…引戸１を閉める際、トリガー１６は戸枠側のストライクＹに当たると、錠ケース５に設けたトリガーガイド１５に案内されされながら後退動する。一方、鎌片３５は動力変換機構（鎌片可動軸３７，３７並びに鎌片被係合部４１）を介し、トリガーの後退動に連動してストライクと掛合する方向へ回転する。この時鎌片３５は、鎌片ガイド部材３１に案内されながら回転するので、一定量回転した後に横方向に多少スライドし、その結果、鎌片３５の先端部３５ｂは戸枠２に当たらない。
【００３２】
ここで抵抗スライダー９の動きについて説明すると、トリガー１６がトリガーバネ１７のバネ力に抗して勢い良く押された時、抵抗スライダー９は付勢バネ７のバネ力に抗して上昇する。この時、トリガー１６の突起状摺接部分４３が下方の抵抗吸収係合面４７に当りながら摺動するから、抵抗スライダー９は後退動するトリガーに対して押し付け抵抗を与える。これによりトリガー１６の勢いが吸収される（弱まる）。
【００３３】
そして、トリガー１６が抵抗吸収係合面４７を越えて反発防止係合面４８に至ると、抵抗スライダー９は付勢バネ７のバネ力により下降して前後の第１・第２係合面４６，４９がケース身５ａの前後の突起部分１２，１３に支持される。この瞬間の時（引戸の反発時）に前記反発防止係合面４８はトリガー１６の突起状摺接部分４３を係止するので、引戸１の動きが止まる。
【００３４】
一方、引戸の開放開始時、鎌片３５の先端部３５ｂはストライクＹの内壁面に当っているから、鎌片３５は横にスライドして一定量動くと、モーメントにより鎌片は回転する。引戸が開放すると、トリガー１６や抵抗スライダー９の動きは逆になる。
【００３５】
すなわち、トリガーの摺接部分４３が抵抗スライダー９の反発防止係合面４８を越えて抵抗吸収係合面４７に至ると、トリガー１６はドリガーバネ１７のハネ力により押し戻され、これにより鎌片３５は動力変換機構を介して錠ケース５内に回転後退する。
【００３６】
【実施例】
この実施例の引戸錠Ｘでは、鎌片３５の下方空間に鎌片用ロック片２５が設けられているが、本発明の特定要件ではないので、詳細な説明は割愛する。
【００３７】
【発明の効果】
以上の説明から明らかなように、本発明にあっては、引戸の閉戸時、トリガーが勢い良く押された時にトリガーの勢いを吸収すると共に、引戸が反発して時にその跳ね返り現象を合理的な構成で解決することができる。請求項２に記載の発明は、傾斜状抵抗吸収係合面及び引戸用反発防止係合面を有する抵抗スライダーを十分に機能させることができる。また請求項３に記載の発明は、抵抗スライダーを安定的に案内させることができる。さらに、請求項４以下に記載の発明は、錠ケースに各部材を合理的に組み込むことができる、各部材を簡単に組み合わせることができる、安価に製作することができる等の効果がある。
【図面の簡単な説明】
図１乃至図７は本発明の一実施例を示す各説明図である。
【図１】本発明をフロント部から見た概略説明図。
【図２】引戸を開いた時の主たる部材の位置関係を示す概略説明図。
【図３】錠ケース（特にケース身）の概略説明図。
【図４】主たる部材の斜視図。
【図５】引戸の縦框に取付けた場合において、平面から見た場合の概略説明図。
【図６】引戸を閉じた時の主たる部材の位置関係を示す概略説明図。
【図７】トリガーに対する抵抗スライダーの機能を示す概略説明図。
【符号の説明】
Ｘ…引戸錠、１…引戸、Ｙ…ストライク、２…戸枠、３…固着具、５…錠ケース、５ａ…ケース身、５ｂ…ケース蓋、６…縦長収納部、７…付勢バネ、８…横長収納部、９…抵抗スライダー、１０…垂直案内部、１１…規制空間、１２…前の突起部分、１３…後の突起部分、１４…トリガー収納部、１５…水平案内部、１６…トリガー、１７…トリガーバネ、１８…フロント部、１９…トリガー用案内開口、２０…鎌片用収納部、２２…出入口、２５…鎌片用ロック片、２６…下部空間、２７…操作部材、２８…垂直案内長孔、２９…貫通孔、３１…鎌片ガイド部材、３２…鎌片案内板、３３…弧状案内部、３４…鎌片枢支軸、３５…鎌片、３５ａ…基部、３５ｂ…先端部、３６…遊嵌合軸孔、３７…鎌片可動軸、４１…トリガーの先端部、４２…鎌片用被係合部、４３…係合摺接部、４３ａ…当り面、４３ｂ…受け面、４５…係合突起、４６…第１係合面、４７…抵抗吸収係合面、４８…反発防止係合面、４９…第２係合面。
【図１】
2004076510.tif 000003
【図２】
2004076510.tif 000004
【図３】
2004076510.tif 000005
【図４】
2004076510.tif 000006
【図５】
2004076510.tif 000007
【図６】
2004076510.tif 000008
【図７】
2004076510.tif 000009